(57)【要約】【課題】電話番号を公開せずに、返信が必要な通話先の相手に電話を掛ける。【解決手段】電話回線ネットワーク内の電話交換機と、前記電話交換機に接続される電話番号管理サーバと、インターネットを介して前記電話番号管理サーバに接続されるパーソナルコンピュータとを備え、前記電話番号管理サーバから受信した情報によって前記電話交換機が電話交換を行うシステムであって、実電話番号と第２の電話番号との電話番号対応表を作成し、かつ電話番号対応表の有効性の有無を指定するチェックフラグを前記電話番号対応表に付加して前記電話番号対応表を規定期間保持し、同時に、前記電話番号対応表の情報を規定時間間隔で前記電話交換機に送信し、一方、前記電話回線加入者から前記電話交換機に回線接続要求があった場合、前記電話交換機は、前記電話番号対応表をチェックし、前記電話番号対応表に従って、当該加入者が接続要求している実電話番号、あるいは、第２の電話番号で電話交換を行う。【選択図】図１
2007306123.tif 000002
【特許請求の範囲】
【請求項１】
電話回線ネットワーク内の電話交換機と、
前記電話交換機に接続される電話番号管理サーバと、
インターネットを介して前記電話番号管理サーバに接続されるパーソナルコンピュータとを備え、
前記電話番号管理サーバから受信した情報によって前記電話交換機が電話交換を行うシステムであって、
前記電話番号管理サーバと前記電話交換機とは、実電話番号と、前記実電話番号に対してある規定の演算を施して得られる第２の電話番号と、前記電話番号対応表の有効性の有無を指定するチェックフラグとを対応づけて、規定期間の間保持する電話番号対応表を有し、
前記電話番号管理サーバは、前記パーソナルコンピュータから、電話回線加入者の実電話番号に対する第２の電話番号の発行要求があった時に前記第２の電話番号を生成して前記パーソナルコンピュータに回答する手段と、
前記実電話番号と前記生成した第２の電話番号とを前記電話番号対応表に登録する手段と、
前記電話番号対応表の情報を規定時間間隔で前記電話交換機に送信する手段とを有し、
前記電話交換機は、前記電話回線加入者から回線接続要求があった場合に、前記電話番号管理サーバから送信された情報により更新される電話番号対応表をチェックし、前記電話番号対応表内に前記実電話番号に対応する前記第２の電話番号が登録されており、かつ、前記チェックフラグがオンの場合には、前記電話番号対応表に従って前記実電話番号を前記第２の電話番号に変換して電話交換を行い、また、前記電話番号対応表内に前記実電話番号に対応する前記第２の電話番号が登録されており、かつ、前記チェックフラグがオフの場合、あるいは、前記電話番号対応表内に前記実電話番号に対応する前記第２の電話番号が登録されていない場合には、前記電話回線加入者が接続要求している実電話番号そのもので電話交換を行うことを特徴とする電話交換システム。
【発明の詳細な説明】
【技術分野】
【０００１】
本発明は、電話交換システムに係り、特に、電話番号を公開したくはないが、返信が必要な通話先の相手に電話を掛ける場合の電話交換に関する。
【背景技術】
【０００２】
従来、電話利用時に、通話先の相手に電話番号を公開しない方法としては、一般に、通話相手先の電話番号の先頭に「１８４」や「１８６」を付加する「発信者通知・非通知サービス」を利用する方法が知られている。
【発明の開示】
【発明が解決しようとする課題】
【０００３】
前述の「発信者通知・非通知サービス」によれば、通話相手先の電話に電話番号が通知されない（もしくは、ダミーの電話番号が通知される）が、通話先の相手からの返信が必要な場合は電話番号を教えなくてはならないため、結局は口頭などにより電話番号を公開しなくてはならないという問題があった。
本発明は、前記従来技術の問題点を解決するためになされたものであり、本発明の目的は、電話交換システムにおいて、電話番号を公開せずに、返信が必要な通話先の相手に電話を掛けることが可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、電話回線ネットワーク内の電話交換機と、前記電話交換機に接続される電話番号管理サーバと、インターネットを介して前記電話番号管理サーバに接続されるパーソナルコンピュータとを備え、前記電話番号管理サーバから受信した情報によって前記電話交換機が電話交換を行うシステムであって、前記電話番号管理サーバと前記電話交換機とは、実電話番号と、前記実電話番号に対してある規定の演算を施して得られる第２の電話番号と、前記電話番号対応表の有効性の有無を指定するチェックフラグとを対応づけて、規定期間の間保持する電話番号対応表を有し、前記電話番号管理サーバは、前記パーソナルコンピュータから、電話回線加入者の実電話番号に対する第２の電話番号の発行要求があった時に前記第２の電話番号を生成して前記パーソナルコンピュータに回答する手段と、前記実電話番号と前記生成した第２の電話番号とを前記電話番号対応表に登録する手段と、前記電話番号対応表の情報を規定時間間隔で前記電話交換機に送信する手段とを有し、前記電話交換機は、前記電話回線加入者から回線接続要求があった場合に、前記電話番号管理サーバから送信された情報により更新される電話番号対応表をチェックし、前記電話番号対応表内に前記実電話番号に対応する前記第２の電話番号が登録されており、かつ、前記チェックフラグがオンの場合には、前記電話番号対応表に従って前記実電話番号を前記第２の電話番号に変換して電話交換を行い、また、前記電話番号対応表内に前記実電話番号に対応する前記第２の電話番号が登録されており、かつ、前記チェックフラグがオフの場合、あるいは、前記電話番号対応表内に前記実電話番号に対応する前記第２の電話番号が登録されていない場合には、前記電話回線加入者が接続要求している実電話番号そのもので電話交換を行うことを特徴とする。
【発明の効果】
【０００５】
本願において開示される発明のうち代表的なものによって得られる効果を簡単に説明すれば、下記の通りである。
本発明によれば、実際の電話番号を公開せずに、返信が必要な通話先の相手に電話を掛けることが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例の電話交換システムの概略構成をブロック図である。
同図において、１０１は電話番号管理サーバ、１０２は電話交換機、１０３は発信元電話機、１０４は発信先電話機、１０５は一般不特定多数のパーソナルコンピュータ（以下、ＰＣという）、１０６は一般電話回線網、１０７はインターネット網である。
本実施例では、電話番号管理サーバ１０１は、電話回線網１０６内の電話交換機１０２に接続され、電話交換機１０２は、電話番号管理サーバ１０１から受信した情報によって電話交換を行う。
また、電話回線加入者は、ＰＣ１０５を使用し、インターネット網１０７を介して電話番号管理サーバ１０１に接続することができる。
【０００７】
図２は、電話番号管理サーバ１０１が備える電話番号対応表の具体例を示す図である。
図２に示すように、電話番号対応表は、実電話番号２０１と、実電話番号に対してある規定の演算を施して得られる第２の電話番号２０２と、電話番号対応表の有効性の有無を指定するチェックフラグ２０３とを対応づけて、利用開始日２０４と利用終了日２０５とで決定される規定期間の間保持するものである。
なお、利用開始日２０４と利用終了日２０５とで決定される規定期間が過ぎると、実電話番号２０１と、実電話番号に対してある規定の演算を施して得られる第２の電話番号２０２とは削除される。
また、本実施例では、第２の電話番号は、３桁、３桁、４桁の全部で１０桁から成る番号であり、実電話番号の最初の３桁を、「０００」に変換した番号である。例えば、実電話番号が、「＊＊＊−１２３−４５６７」の場合に、第２の電話番号は、「０００−１２３−４５６７」となる。但し、電話番号の市街局番が２桁の「＊＊−２３４５−６７８９」の場合は、第２の電話番号は、「０００−２３４−５６７８」となり、最初の３桁が「０００」、残りの６桁の数字は、実電話番号の末尾の数字を省略した番号となる。
【０００８】
本実施例では、電話回線加入者が、ＰＣ１０５を使用し、インターネット網１０７を介して電話番号管理サーバ１０１に接続し、電話回線加入者の実電話番号に対する第２の電話番号の発行を要求する。
このとき、電話回線加入者は、実電話番号２０１と、利用開始日２０４とを、電話番号対応表に登録する。
電話番号管理サーバ１０１は、実電話番号に対してある規定の演算を施して得られる第２の電話番号を生成し、第２の電話番号を電話回線加入者に返答するとともに、生成した第２の電話番号と、利用終了日２０５を電話番号対応表に登録する。
また、電話回線加入者は、任意のタイミングでチェックフラグ２０３のオン、オフを設定する。例えば、電話回線加入者は、第２の電話番号を使用したい場合に、ＰＣ１０５を使用し、インターネット網１０７を介して電話番号管理サーバ１０１に接続し、チェックフラグ２０３をオンに設定する。
【０００９】
本実施例において、電話番号を公開したくはないが、返信が必要な通話先の相手に電話を掛ける場合の動作について説明する。
図３は、本実施例の電話交換システムにおいて、回線接続要求時の電話交換機の処理手順を示すフローチャートである。
電話回線加入者から電話回線接続要求があると、図２に具体例を示す電話番号対応表に当該実電話番号が登録されているか否を検出する（ステップ３０１）。
ステップ３０１において、実電話番号が電話番号対応表に登録されていない場合は、実電話番号のままで通話相手先に電話交換を行う（ステップ３０４）。
ステップ３０１において、実電話番号が電話番号対応表に登録されている場合は、電話番号対応表の「チェックフラグ２０３」の項目がオンであるかどうかを確認する（ステップ３０２）。
ステップ３０２において、「チェックフラグ２０３」がオンの場合は、電話番号対応表に示す第２の電話番号の番号に変換して、電話交換を行う（ステップ３０３）。
ステップ３０２において、「チェックフラグ２０３」がオフの場合は、実電話番号のままで通話相手先に電話交換を行う（ステップ３０４）。
【００１０】
例えば、図２の実電話番号が「＊＊＊−１％３−＄５６７」の場合は、「チェックフラグ２０３」がオンなので、第２の電話番号「０００−１％３−＄５６７」に変換して電話交換を行う。
また、第２の電話番号「０００−１％３−＄５６７」に掛けられた場合は、実電話番号「＊＊＊−１％３−＄５６７」に変換して電話交換を行う。
さらに、図２の実電話番号が「＊＊−２％４５−＄７８９」の場合は、「チェックフラグ２０３」がオフなので、実電話番号「＊＊−２％４５−＄７８９」を使用して電話交換を行う。
以上説明したように、本実施例によれば、電話番号を公開したくはないが、返信が必要な通話先の相手に電話を掛ける場合に、期間を限定した第２の電話番号を通知するようにしたので、電話番号を公開せずに、返信が必要な通話先の相手に電話を掛けることが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例の電話交換システムの概略構成を示すブロック図である。
【図２】電話番号管理サーバと電話交換機が備える電話番号対応表の具体例を示す図である。
【図３】本発明の実施例の電話交換システムにおいて、回線接続要求時の電話交換機の処理手順を示すフローチャートである。
【符号の説明】
【００１２】
１０１  電話番号管理サーバ
１０２  電話交換機
１０３  発信元電話機
１０４  発信先電話機
１０５  パーソナルコンピュータ（ＰＣ）
１０６  一般電話回線網
１０７  インターネット網
【図１】
2007306123.tif 000003
【図２】
2007306123.tif 000004
【図３】
2007306123.tif 000005